(57)【要約】本発明の包装容器は、少なくとも一つの三角面と、前記三角面の頂点からまっすぐに延長して形成した接合部、および前記三角面の頂点の周りの部位を折って形成した開封部を包含する。
2004537478.tif 000002
【特許請求の範囲】
【請求項１】
少なくとも一つの三角面と；
前記三角面の頂点からまっすぐに延長して形成した接合部；および
前記三角面の頂点の周りの部位を折って形成した開封部を包含する包装容器。
【請求項２】
前記開封部は、前記頂点に最も近い三角面の両辺部位が第１および第２折れ線によって容器の内側に三角形に折られて形成されることを特徴とする請求項１記載の包装容器。
【請求項３】
前記開封部は、その開閉作用の増進のために、前記第１折れ線の間に折られた三角形内に第３折れ線をさらに形成することを特徴とする請求項２記載の包装容器。
【請求項４】
前記第２折れ線の両外側の部位に第４折れ線を形成することを特徴とする請求項２記載の包装容器。
【請求項５】
前記第１ないし第４折れ線の各々の端部を水平に連結する第５折れ線を形成することを特徴とする請求項２ないし４のいずれかに記載の包装容器。
【請求項６】
前記開封部の折れる部分と接合部に相當する部分が重なる部分を接着剤で塗布することを特徴とする請求項１記載の包装容器。
【請求項７】
前記開封部の容易な開封のために、前記重なる部分に截取線を形成することを特徴とする請求項１記載の包装容器。
【請求項８】
前記容器は、三角四面体になることを特徴とする請求項１記載の包装容器。
【請求項９】
前記容器は、五面体になることを特徴とする請求項１記載の包装容器。
【発明の詳細な説明】
【技術分野】
【０００１】
本発明は一字形の接合部を持つ４／５面体の包装容器に関し、より詳しくは容易に開封できる開封部を有する４／５面体の包装容器に関する。
【背景技術】
【０００２】
従来の包装容器を開封する為には、容器の上端の一部を鋏などを用いて切って開封しなければならない。従って、容器の開封時毎に別途の道具を準備するなどの不便があった。
【０００３】
このような不便を解消するために、四角／六面体の容器において、容器を簡単に開封することができる構造が提供されている。しかしながら、このような簡単な開封構造は四面体または五面体の容器には適用されない問題点がある。
【発明の開示】
【０００４】
従って、本発明は前記のような従来技術の問題点を解消するためのものである。本発明は、容易な開封構造を持つ四面体または五面体の容器を提供することを目的としている。
【０００５】
前記の目的を実現するために、本発明は、少なくとも一つの三角面と；前記三角面の頂点からまっすぐに延長して形成した接合部；および前記三角面の頂点の周りの部位を折って形成した開封部を包含する包装容器を提供する。
【０００６】
望ましくは、前記開封部は、前記頂点に最も近い三角面の両辺部位が第１および第２折れ線によって容器の内側に三角形に折られて形成される。
【０００７】
望ましくは、前記開封部は、その開閉作用の増進のために、前記第１折れ線の間に折られた三角形内に第３折れ線をさらに形成することができる。
【０００８】
望ましくは、前記第２折れ線の両外側の部位に第４折れ線を形成することができる。
【０００９】
望ましくは、前記第１〜第４折れ線の各々の端部を水平に連結する第５折れ線を形成することができる。
【００１０】
前記開封部の折れる部分と接合部に相當する部分が重なる部分は接着剤で塗布される。
【００１１】
前記開封部の容易な開封のために、前記重なる部分に截取線を形成する。
【００１２】
前記容器は、３角４面体または５面体で形成される。
【発明を実施するための最良の形態】
【００１３】
以下、添付した図面を参照して本発明の望ましい実施の形態により詳細に説明する。
【００１４】
本発明の包装容器に用いられる素材は、紙、合成およびアルミニウムフォイルになる群から選択された物質である。
【００１５】
図１は、本発明の実施の形態１に従う三角四面体の容器を示している。
【００１６】
図１に示した通り、本発明の容器は四つの三角面１０２Ａ、１０２Ｂ、１０２Ｃ、１０２Ｄからなる四面体になっている。
【００１７】
前記容器は、相互に垂直に配置される一字形の上下接合部１０５、１０５’を有している。この一字形の上下接合部の中の一つには本発明の特徴である開封部が提供される。すなわち、本発明の開封部１０７は、ある一つの三角面１０２Ａ、１０２Ｂ、１０２Ｃ、１０２Ｄの両辺が合う頂点と一つの接合部１０５、１０５’が合う部位に提供されることである。
【００１８】
より詳しく説明すると、前記頂点の周りが第１および第２折れ線７、８によって内側に三角形の形態に折れることである。
【００１９】
そして、前記開封部１０７は、折られた三角形の両端を水平に連結する水平折れ線９をさらに形成することができる。前記折れ線７、８は、前記水平折れ線９の両端から形成されて、一つの点に集まって三角形の形態になることである。前記開封部１０７は、中心折れ線１１をさらに形成し、前記折れ線１１は前記折れ線９の中心を前記折れ線８の集点に連結する。また、前記折れ線７の両外側の部位に外側折れ線１０をさらに形成することができる。
【００２０】
また、前記接合部に相當する前記開封部１７の部位には接着剤を塗布して接着部Ｓとした（図２参照）。
【００２１】
このような開封部を有する包装容器の開封方法を説明すると次の通りである。
【００２２】
図１の状態において、前記接着部Ｓ（開封される）を折れ線７を基準にして開けると、接着部は分離される。このような状態で、折れ線７を外向に押すと、図２のように、折れ線８、９によって流出口１２が形成される。
【００２３】
このような状態で、前記開封部を再に閉じるためには、前記折れ線７により定義される、開けた前面“Ａ”部位を前記折れ線８を基準にして折れるように内側に押すと、図１のように流出口１２が再に密閉になる。
【００２４】
図４は、本発明の実施の形態２に従う五面体の容器を図示している。この実施の形態の開封部は実施の形態１の開封部と類似である。
【００２５】
この実施の形態の容器は、まっすぐに縫合された上面２０８と、直四角形状の底面２０２と、逆菱形の前面２０４および背面２０６、そして前記前面２０４および背面２０６を連結する三角形の側面２１０、２１２になっている。
【００２６】
この実施の形態の開封部２１４は、縫合上面２０８の上で一つの三角形の側面２１０、２１２と前面２０４および背面２０６になる頂点の周りに形成される。
【００２７】
この実施の形態において、前記開封部２１４に截取線２１６を形成した。これは、開封部が非常に強く接合される場合、開封部が容易に開封されない場合があるためである。この場合には、前記截取線２１６を截取した後、用いると大丈夫である。
【００２８】
以上、本発明を望ましい実施の形態により詳細に説明したが、本発明はこれに限定するものではなく、当業者に自明な変更または改善は本発明の特許請求の範囲に記載された発明の範囲に属することは自明である。
【産業上の利用可能性】
【００２９】
本発明の容器は以上の詳細の通り、使用者が飲料を吸うまたは分配することができるように、乳とジュースのような飲料の貯蔵に適用できる。また本発明の容器は、洗剤または油のような産業用溶液を零しなく容易に排出するようにこせいらせた貯蔵容器として適用ができる。
【図面の簡単な説明】
【００３０】
【図１】本発明の実施の形態１に従う四面体容器を示す斜視図である。
【図２】本発明の四面体容器の開封過程図である。
【図３】本発明の四面体容器の開封された状態図である。
【図４】本発明の実施の形態２に従う五面体容器を示す斜視図である。
【図５】本発明の五面体容器の開封された状態図である。
【国際公開パンフレット】
2004537478.tif 000003
2004537478.tif 000004
2004537478.tif 000005
2004537478.tif 000006
2004537478.tif 000007
2004537478.tif 000008
2004537478.tif 000009
2004537478.tif 000010
2004537478.tif 000011
2004537478.tif 000012
2004537478.tif 000013
2004537478.tif 000014
2004537478.tif 000015
2004537478.tif 000016
【国際調査報告】
2004537478.tif 000017
2004537478.tif 000018